(57)【要約】【課題】メンテナンス等の際に感電することがなく、しかもイオンの発生量の減少を生じず、更に見栄えを悪くしたり、コストアップも発生することもない、高電圧電極を備える空気清浄器を提供する。【解決手段】高電圧電極を有するイオン発生器を組み込んだ空気清浄器は、前記イオン発生器等の構成要素を収容する本体ケースと、空気が通過する通風路と、前記通風路にその下流で接続する吹き出し口とを具備する。前記イオン発生器は、前記高電圧電極が前記吹き出し口に面さない反対の方向を向くように、前記通風路内に設置されることを特徴とする。【選択図】      図２
2004195356.tif 000002
【特許請求の範囲】
【請求項１】
高電圧電極を有するイオン発生器等の機器を組み込んだ空気清浄器において、この空気清浄器は、
前記イオン発生器等の構成要素を収容する本体ケースと、
空気が通過する通風路と、
前記通風路にその下流で接続する吹き出し口と、
を具備しており、
前記イオン発生器等の機器は、前記高電圧電極が前記吹き出し口に面さない反対の方向を向くように、前記通風路内に設置されることを特徴とする空気清浄器。
【請求項２】
前記本体ケースは空洞部分を具備しており、前記空洞部分は前記通風路を形成することを特徴とする請求項１に記載の空気清浄器。
【請求項３】
前記本体ケースと協働して前記通風路を形成するための、別体ケースが更に具備されており、
前記別体ケースは、前記本体ケースに嵌め込まれるように構成され、更に前記別体ケースを前記本体ケースに嵌めた時に、前記吹き出し口が形成されるような大きさであり、且つ前記別体ケースは前記イオン発生器等の機器を覆うように、前記本体ケースに取り付けられることを特徴とする請求項１又は２のいずれかに記載の空気清浄器。
【請求項４】
通過する空気を濾過するためのフィルタと、保守のためのメンテナンスカバーとを更に具備しており、
前記フィルタは、前記別体ケースの空気上流側の面に取り付けられており、前記メンテナンスカバーは、前記本体ケースに取り付けられることを特徴とする請求項１から３のいずれか一項に記載の空気清浄器。
【請求項５】
前記イオン発生器等の機器において、前記高電圧電極を具備する高電圧電極部と高電圧を作る回路が一体の樹脂ケースで覆われており、電源を供給するための電線とイオン等を発する前記高電圧電極部のみが露出していることを特徴とする請求項１から４のいずれか一項に記載の空気清浄器。
【発明の詳細な説明】
【０００１】
【発明の属する技術分野】
本発明は、空気清浄器に係り、より特別には高電圧電極を有するイオン発生器等の機器を組み込んだ装置に関する。
【０００２】
【従来の技術】
近年、マイナスイオン発生器を組み込んだ空気清浄器が普及している。この様な場合、マイナスイオン発生器は一般的に高電圧を使用するので、感電を防止する構成が要求される。
従来技術のイオン発生器を組み込んだ空気清浄器の例を図４（Ａ，Ｂ，Ｃ）に示す。これらの空気清浄器２０，３０，４０について図４（Ａ，Ｂ，Ｃ）を参照して説明する。これらの空気清浄器２０，３０，４０の基本的な構造は本発明の空気清浄器と同じであるので、ここでは従来技術の本発明との相違点について主に説明し、基本的な構造については後述する。
【０００３】
図４Ａを参照すると、従来技術の空気清浄器の第１の例が示されており、この空気清浄器２０には、高電圧電極３を備えるイオン発生器２が組み込まれている。前述のごとくメンテナンス等の際の感電を防止するために、イオン発生器２は通風路のグリル８から奥まった場所に設置されることにより、手が届かないように構成されている。このような構成では、吹き出し口（グリル）８から奥まった場所にイオン発生器２が配置されるので、生成されたイオンは吹き出し口８に達する前に周囲構造物に吸収されてしまうので、吹き出されるイオン発生量は減少するという問題がある。
【０００４】
図４Ｂを参照すると、従来技術の空気清浄器の第２の例が示されており、この空気清浄器３０にはやはり、高電圧電極を備えるイオン発生器が組み込まれており、やはりメンテナンス等の際の感電を防止するために、グリル８は取り外し出来ないように構成される。従ってイオン発生器にはグリル８側からアクセスできないことにより、手が届かないように構成されている。しかしこのような構成では、グリル８とは別体のメンテナンスカバー１６が、必要になり、図４Ｂに示されるように具備される。この場合には、グリル８とメンテナンスカバー１６を分けるように構成されるため、一体感がなくなり見栄えが悪くなると共にコストアップの可能性も生じるという問題がある。
【０００５】
図４Ｃを参照すると、従来技術の空気清浄器の第３の例が示されており、この空気清浄器４０にもやはり、高電圧電極３を備えるイオン発生器２が組み込まれている。この場合はメンテナンス等の際の感電を防止するために、イオン発生器２を専用保護カバー９に収容することにより、高電圧電極３には手が届かないように構成されている。このような構成では、第１の例のようなイオンの発生量の減少は回避できるが、保護カバー９が必要になるためコストアップとなるという問題がある。
【０００６】
【発明が解決しようとする課題】
上述したように、従来技術では解決されるべき問題点があった。
本発明は、上述した事情に鑑みなされたもので、メンテナンス等の際に感電することがなく、しかもイオンの発生量の減少を生じず、更に見栄えを悪くしたり、コストアップを生じることもない、高電圧電極を備える空気清浄器を提供することを目的としている。
【０００７】
【課題を解決するための手段】
本発明の請求項１の形態では、上述した目的を達成するために、高電圧電極を有するイオン発生器等の機器を組み込んだ空気清浄器は、前記イオン発生器等の構成要素を収容する本体ケースと、空気が通過する通風路と、前記通風路にその下流で接続する吹き出し口とを具備する。前記イオン発生器等の機器は、前記高電圧電極が前記吹き出し口に面さない反対の方向を向くように、前記通風路内に設置されることを特徴とする。
【０００８】
この様に構成することにより、メンテナンス等の際に、吹き出し口から手を入れても高電圧電極に接触することがないので専用の保護カバーを有さずに感電を防止できる。しかもイオン発生器は吹き出し口の近くに設置可能であるのでイオンの発生量の減少を生じない。更に、見栄えを悪くすることもなく、追加の部品等を必要としないのでコストアップを生じない。この様な高電圧電極を備える空気清浄器を提供する。
【０００９】
本発明の請求項２の形態では、上記請求項１の形態において、前記本体ケースは空洞部分を具備しており、前記空洞部分は前記通風路を形成する。
この様に構成することにより、本発明の空気清浄器の本体ケースの構成をより具体化する形態を開示する。
【００１０】
本発明の請求項３の形態では、上記請求項１又は２のいずれかの形態において、前記本体ケースと協働して前記通風路を形成するための別体ケースが更に具備される。前記別体ケースは、前記本体ケースに嵌め込まれるように構成され、更に前記別体ケースを前記本体ケースに嵌めた時に、前記吹き出し口が形成されるような大きさである。更に、前記別体ケースは前記イオン発生器等の機器を覆うように、前記本体ケースに取り付けられる。
この様に構成することにより、本発明の空気清浄器の通風路をより具体化する形態を開示する。
【００１１】
本発明の請求項４の形態では、上記請求項１から３のいずれか一項の形態において、通過する空気を濾過するためのフィルタと、保守のためのメンテナンスカバーとを更に具備する。前記フィルタは、前記別体ケースの空気上流側の面に取り付けられており、前記メンテナンスカバーは、前記本体ケースに取り付けられることを特徴とする。
本形態によれば、本発明の空気清浄器の構成をより具体化する形態を開示する。
【００１２】
本発明の請求項５の形態では、上記請求項１から４のいずれか一項の形態において、前記イオン発生器等の機器において、前記高電圧電極を具備する高電圧電極部と高電圧を作る回路が一体の樹脂ケースで覆われており、電源を供給するための電線とイオン等を発する前記高電圧電極部のみが露出していることを特徴とする。
本形態によれば、本発明の空気清浄器の具備するイオン発生器等の機器の構成をより具体化する形態を開示する。
【００１３】
【発明の実施の形態】
以下、図面に基づいて本発明の一実施の形態の空気清浄器を詳細に説明する。
図１から３は、本発明に係る空気清浄器の実施の形態を図解的に示しており、図１は本発明の実施の形態の空気清浄器１０の概略的な構成を示す分解立体図であり、図２は前記空気清浄器１０の組み立て側断面図であり、図３は前記空気清浄器１０のメンテナンスカバー及びフィルタを外した状態の平面図である。
ここでは図１から３を参照すると、図４に示される従来技術の空気清浄器（２０，３０，４０）の例の要素部分と同じ又は同様である図１から３の要素部分は、同じ参照符号により指定されている。
【００１４】
まず図１を参照すると、本発明の空気清浄器１０の主要構成部分が分解された状態で示されている。本発明の空気清浄器１０の構成は、スクロールを形成する本体ケース１と、高電圧電極３を有するイオン発生器２と、通風路を形成する別体ケース４と、除塵または脱臭または除塵脱臭を行うフィルター５と、フィルター交換用のメンテナンスカバー６と、イオンを含む空気が吐出する吹き出し口７と、を具備する。更に空気清浄器１０は、空気の流れを形成するファン１１と、ファン１１を駆動するモータ１２と、を具備する。
【００１５】
本体ケース１は、図２に示すように図面における下部に配置されて、強度構造部分を構成すると共に、中央に空洞部分を具備しており、この空洞部分は、別体ケース４が覆うように設置されることにより、空気の通風路１４を形成すると共にファン１１及びモータ１２を収容する。また本体ケース１の空洞部分の右側にはイオン発生器２が設置されるので、イオン発生器２は通風路１４に配置されることになる。ここでイオン発生器２においては、電源を供給するための電線とイオンを発する高電圧電極３のみが露出している。
【００１６】
前述のごとく本体ケース１の上に別体ケース４が載せられて、更に別体ケース４の上にフィルタ５を載せ、その上にメンテナンスカバー６を載せて、全体を組み立てる。本実施の形態において、吹き出し口７はメンテナンスカバー６の一部分を利用して一体で形成されるので、見栄えが良く、製作上もコストダウンが図れる。
【００１７】
空気の流れは、図２において矢印で示されており、吸い込み口１３から、フィルタ５、ファン１１を経由して通風路１４内に入り、更にイオン発生器２を通過して、吹き出し口７から吐出される。
【００１８】
図２を参照して分かるように、イオン発生器２に具備される高電圧電極３は、通風路１４内において吹き出し口７の反対を向くように取り付けられるので、メンテナンス時等において、メンテナンスカバー６と共に吹き出し口７を取り外して手を通風路１４内に入れても、高電圧電極３はイオン発生器２の本体にカバーされているので、手が高電圧電極３に触れることはなく、感電の恐れはない。また、イオン発生器２と高電圧電極３の平面的な位置に関して図３を参照して分かるように、高電圧電極３は別体ケース４によりカバーされる位置に配置されるので、メンテナンスカバー６を外しても、イオン発生器２の高電圧電極３に触れることがないので感電を防止することができる。
【００１９】
次に上記実施の形態の効果及び作用について説明する。本発明の上記の実施の形態の空気清浄器により以下の効果が期待できる。
・メンテナンス等の際に、吹き出し口から手を入れる等の行為によっても高電圧電極に接触することがないので感電することがない。
・イオン発生器は吹き出し口の近くに設置可能であるのでイオンの発生量の減少を生じない。
・外見上見栄えを悪くすることもなく、追加の部品等を必要としないのでコストアップを生じない。
【００２０】
本発明は、上記の実施の形態以外に、以下の実施の形態において実施されても良い。
メンテナンスカバー６は本体ケース１に直に取り付けても、別体ケース４に取り付けてもいずれでも良い。
高電圧電極３は、面状の電極でも針状の電極でも高電圧を持った電極であれば形状を問わない。
イオン発生器２以外にも、オゾン発生器等、高電圧電極を持つものであれば空気清浄器に具備される機器の種類を問わない。
【００２１】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【図１】図１は、本発明の実施の形態の空気清浄器１０の概略的な構成を示す分解立体図である。
【図２】図２は、図１の空気清浄器１０の組み立てられた状態の図解的な側断面図である。
【図３】図３は、図１の空気清浄器１０のメンテナンスカバー及びフィルタを外した状態の図解的な平面図である。
【図４】図４は、従来技術の空気清浄器の例（２０，３０，４０）を図解的に示しており、（Ａ）は第１の例の側断面図であり、（Ｂ）は第２の例の正面図であり、（Ｃ）は第３の例の側断面図である。
【符号の説明】
１…本体ケース
２…イオン発生器
３…高電圧電極
４…別体ケース
５…フィルタ
６…メンテナンスカバー
７…吹き出し口
１０…空気清浄器
１４…通風路
【図１】
2004195356.tif 000003
【図２】
2004195356.tif 000004
【図３】
2004195356.tif 000005
【図４】
2004195356.tif 000006